(57)【要約】【課題】カゴ台車に対する取り外し作業や組み付け作業を容易に行うことができるとともに、不使用時に必要とされる保管スペースを縮小することができる保冷保温容器を提供する。【解決手段】保冷保温容器は、天面パネルと、正面パネルと、左面パネルと、背面パネルと、右面パネルと、底面パネルと、を有する容器本体と、容器本体のうち天面パネルと左面パネルと背面パネルと右面パネルと底面パネルとを覆うように配置された外装袋と、を備えている。左面パネルと前記右面パネルとは、それぞれ、外装袋に取り付けられている。天面パネルと背面パネルと底面パネルとは、それぞれ、左面パネルまたは右面パネルに連結部を介して回動可能に連結されている。外装袋のうち背面パネルを覆う部分には、通気部が形成されている。【選択図】図１
2019073342.tif 000002
【特許請求の範囲】
【請求項１】
天面パネルと、正面パネルと、左面パネルと、背面パネルと、右面パネルと、底面パネルと、を有する容器本体と、
前記容器本体のうち前記天面パネルと前記左面パネルと前記背面パネルと前記右面パネルと前記底面パネルとを覆うように配置された外装袋と、
を備え、
前記左面パネルと前記右面パネルとは、それぞれ、前記外装袋に取り付けられており、
前記天面パネルと前記背面パネルと前記底面パネルとは、それぞれ、前記左面パネルまたは前記右面パネルに連結部を介して回動可能に連結されており、
前記外装袋のうち前記背面パネルを覆う部分には、通気部が形成されている
ことを特徴とする保冷保温容器。
【発明の詳細な説明】
【技術分野】
【０００１】
本発明は、保冷保温容器に関する。また、本発明は、外装袋に関する。また、本発明は、保冷保温容器の組み立て方法、折り畳み方法、及び、保管方法に関する。
【背景技術】
【０００２】
保冷保温容器は、例えば物流分野において、物品収納空間の内部温度を管理するために使用されている。一般に、保冷保温容器は、そのパネルが断熱性部材を有することによって、熱の容器内外の移動を抑制している。従来の保冷保温容器のパネルには、断熱性部材として発泡断熱材が用いられている。また、最近、真空断熱材をパネルに用いた保冷保温容器が提案されている。真空断熱材は、単位厚み当りの断熱性能が発泡断熱材よりも大幅に高いので、所望の保冷保温機能を確保しつつ、保冷保温容器の軽量化や省スペース化を図ることができる。
【０００３】
ところで、物流分野では、新鮮な商品を、鮮度を保った状態で輸送することが要求される場合がある。そのような場合には、保冷保温容器がカゴ台車（ロールボックスとも言う）と組み合わされて使用されている。特許文献１には、保冷保温容器がカゴ台車に一体化されたものが提案されている。また、特許文献２には、保冷保温容器がカゴ台車にインナーとして後付けされたものが提案されている。
【先行技術文献】
【特許文献】
【０００４】
【特許文献１】特開昭５８−９００８３号公報
【特許文献２】実開平７−２８０２２号公報
【発明の概要】
【発明が解決しようとする課題】
【０００５】
特許文献１の構成では、カゴ台車の使用が保冷輸送または保温輸送の用途に制限されるため、使い勝手が悪いという欠点がある。一方、特許文献２の構成では、そのような欠点は解消されるものの、保冷保温容器は一般的にカゴ台車の内部空間の各辺の長さに対応するように設計されていて大型であるため、カゴ台車に対する保冷保温容器の取り外し作業や組み付け作業に過大な労力を要するという問題がある。また、取り外した後の保冷保温容器を保管するために相当のスペースが必要になるという問題もある。
【０００６】
本発明は、以上のような点を考慮してなされたものである。本発明の目的は、カゴ台車に対する取り外し作業や組み付け作業を容易に行うことができるとともに、不使用時に必要とされる保管スペースを縮小することができる保冷保温容器を提供することにある。
【課題を解決するための手段】
【０００７】
本発明による保冷保温容器は、
天面パネルと、正面パネルと、左面パネルと、背面パネルと、右面パネルと、底面パネルと、を有する容器本体と、
前記容器本体のうち前記天面パネルと前記左面パネルと前記背面パネルと前記右面パネルと前記底面パネルとを覆うように配置された外装袋と、
を備え、
前記左面パネルと前記右面パネルとは、それぞれ、前記外装袋に取り付けられており、
前記天面パネルと前記背面パネルと前記底面パネルとは、それぞれ、前記左面パネルま
たは前記右面パネルに連結部を介して回動可能に連結されており、
前記外装袋のうち前記背面パネルを覆う部分には、通気部が形成されている。
【０００８】
本発明による保冷保温容器において、
前記外装袋のうち前記背面パネルを覆う部分は、前記背面パネルの上側部分を覆う第１外装シートと、前記背面パネルの下側部分を覆う第２外装シートと、を有し、
前記第１外装シートの下端部は、前記第２外装シートの上端部に外側から重なるように延ばされており、
前記第１外装シートの下端部と前記第２外装シートの上端部との間の隙間が、前記通気部を形成していてもよい。
【０００９】
各辺の長さが５００ｍｍ未満の容器では、背面パネルを回動させる際に一般の作業者が強いと感じる程度の大きな力は必要とはならないため、本発明による保冷保温容器において、各辺の長さが、５００ｍｍ以上であってもよい。
【００１０】
本発明による外装袋は、
天面パネルと、正面パネルと、左面パネルと、背面パネルと、右面パネルと、底面パネルと、を有し、前記天面パネルと前記背面パネルと前記底面パネルとは、それぞれ、前記左面パネルまたは前記右面パネルに連結部を介して回動可能に連結されている、という容器本体のうち前記天面パネルと前記左面パネルと前記背面パネルと前記右面パネルと前記底面パネルとを覆うように配置される外装袋であって、
前記左面パネルを覆う部分は、前記左面パネルが取り付け可能であり、前記右面パネルを覆う部分は、前記右面パネルが取り付け可能であり、
前記背面パネルを覆う部分には、通気部が形成されている。
【００１１】
本発明による保冷保温容器の組み立て方法は、
前記したいずれかの特徴を有する保冷保温容器を組み立てる方法であって、
前記右面パネルと前記左面パネルとが互いに離れる向きに移動されることで前記外装袋が広げられる工程と、
前記天面パネルが連結部を介して回動されることで前記外装袋の天面部分と対向されるとともに、前記底面パネルが連結部を介して回動されることで前記外装袋の底面部分と対向される工程と、
前記背面パネルが連結部を介して回動されることで前記外装袋の背面部分と対向される工程と、
を備え、
前記背面パネルが連結部を介して回動される工程では、前記背面パネルと前記外装袋の背面部分との間の空間の空気が前記通気部を介して前記外装袋の外側に排出される。
【００１２】
本発明による保冷保温容器の折り畳み方法は、
前記したいずれかの特徴を有する保冷保温容器を折り畳む方法であって、
前記背面パネルが連結部を介して回動されることで前記右面パネルまたは前記左面パネルと対向される工程と、
前記天面パネルが連結部を介して回動されることで前記背面パネルの上側部分と対向されるとともに、前記底面パネルが連結部を介して回動されることで前記背面パネルの下側部分と対向される工程と、
前記右面パネルと前記左面パネルとが互いに近づく向きに移動されることで前記外装袋が折り畳まれる工程と、
を備え、
前記背面パネルが連結部を介して回動される工程では、前記外装袋の外側の空気が前記通気部を介して前記背面パネルと前記外装袋の背面部分との間の空間に吸引される。
【００１３】
本発明による保冷保温容器の保管方法は、
前記したいずれかの特徴を有する複数の保冷保温容器を折り畳む工程と、
折り畳まれた前記複数の保冷保温容器をカゴ台車内に収容する工程と、
を備える。
【発明の効果】
【００１４】
本発明によれば、カゴ台車に対する保冷保温容器の取り外し作業や組み付け作業を容易に行うことができるとともに、保冷保温容器の不使用時に必要とされる保管スペースを縮小することができる。
【図面の簡単な説明】
【００１５】
【図１】図１は、本発明の一実施の形態による保冷保温容器を示す斜視図である。
【図２】図２は、図１の保冷保温容器の外装袋を示す斜視図である。
【図３】図３は、通気部の構造の一例を説明するための縦断面図である。
【図４】図４は、図１の保冷保温容器を折り畳む工程を示す図である。
【図５】図５は、図１の保冷保温容器を折り畳む工程を示す図である。
【図６】図６は、背面パネルを連結部を介して折り曲げる際の作用を説明するための横断面図である。
【図７】図７は、図１の保冷保温容器を折り畳む工程を示す図である。
【図８】図８は、図１の保冷保温容器を折り畳む工程を示す図である。
【図９】図９は、折り畳まれた状態の保冷保温容器を示す斜視図である。
【図１０】図１０（ａ）は、断熱性部材を示す斜視図である。図１０（ｂ）は、断熱性部材と袋体とを有する袋付断熱性部材を示す斜視図である。
【図１１】図１１（ａ）および図１１（ｂ）は、真空断熱材を示す断面図である。
【図１２】図１２は、組み立てられた状態の保冷保温容器がカゴ台車内に収容された態様を示す斜視図である。
【図１３】図１３は、折り畳まされた状態の複数の保冷保温容器がカゴ台車内に収容された態様を示す斜視図である。
【図１４】図１４は、天面パネルの内面を示す平面図である。
【図１５】図１５は、天面パネルの内面にポケットが取り付けられた状態を示す平面図である。
【図１６】図１６は、ポケットの第１面を示す平面図である。
【図１７】図１７は、ポケットの第２面を示す平面図である。
【発明を実施するための形態】
【００１６】
以下、図面を参照して、本発明の実施の形態について説明する。なお、本明細書において、「内面」とは、保冷保温容器が組み立てられた状態において、収納空間側を向く面を意味し、「外面」とは収納空間とは逆側を向く面を意味する。
【００１７】
図１は、本発明の一実施の形態による保冷保温容器１が組み立てられた状態を示す斜視図である。図９は、図１の保冷保温容器１が折り畳まれた状態を示す斜視図である。図１２は、組み立てられた状態の保冷保温容器がカゴ台車内に収容された態様を示す斜視図である。図１３は、折り畳まされた状態の複数の保冷保温容器がカゴ台車内に収容された態様を示す斜視図である。
【００１８】
図１２に示すように、本実施の形態による保冷保温容器１は、例えばカゴ台車５０の保冷性または保温性を向上させる用途に用いることができる。すなわち、保冷保温容器１の各辺の長さは、カゴ台車５０の内部空間の各辺の長さに対応するように設計されており、例えば５００ｍｍ〜２０００ｍｍとなっている。折り畳まれた状態の保冷保温容器１は、
カゴ台車５０内で組み立てられた後、その内部に保冷あるいは保温すべき荷物が収納され、カゴ台車５０とともに輸送される。また、図１３に示すように、不使用時には、保冷保温容器１は、カゴ台車５０内において折り畳まれた後、カゴ台車５０内で保管される。なお、折り畳まれた状態の保冷保温容器１は、折り畳まれた状態の他の保冷保温容器１と一緒に同じカゴ台車５０内でまとめて保管されてもよい。
【００１９】
図１に示すように、本実施の形態による保冷保温容器１は、容器本体１０と、外装袋３０と、を備えている。
【００２０】
このうち容器本体１０は、天面パネル１１と、正面パネル１２と、左面パネル１３と、背面パネル１４と、右面パネル１５と、底面パネル１６と、を有している。
【００２１】
正面パネル１２は、右面パネル１５に連結部を介して折り曲げ可能かつ分離可能に連結され、保冷保温容器１の片開き扉を構成するようになっている。この連結部としては、例えば面ファスナや線ファスナを用いることができる。
【００２２】
また、天面パネル１１と背面パネル１４と底面パネル１６とは、それぞれ、右面パネル１５に、連結部を介して回動可能に連結されている（図５〜図７参照）。なお、本実施の形態では、各パネル１１〜１６は、伸縮性を有する柔軟な材料（例えば樹脂）からなる袋体に包まれており、天面パネル１１、背面パネル１４、底面パネル１６及び右面パネル１５のうち隣り合う一対のパネルの各々の袋体の端部同士が接合されて（例えば袋体の端部の耳部同士が縫合されて）、その接合部分から連結部が構成されている。したがって、この連結部は、折り曲げ可能であるとともに伸縮可能となっている。連結部が伸縮可能であることで、図９に示すように、天面パネル１１と背面パネル１４と底面パネル１６とが、それぞれ、右面パネル１５に対して積み重ねられた状態になるように折り畳むことが可能となる。
【００２３】
図１に示すように、外装袋３０は、容器本体１０のうち天面パネル１１と左面パネル１３と背面パネル１４と右面パネル１５と底面パネル１６とを覆うように配置されている。容器本体１０の左面パネル１３と右面パネル１５とは、それぞれ、適宜の取付手段、例えば面ファスナを介して外装袋３０に取り付けられている。
【００２４】
図２は、図１の保冷保温容器１の外装袋３０を示す斜視図である。図２では、容器本体１０の図示が省略されている。
【００２５】
外装袋３０は、気密性及び耐屈曲性を有する可撓性材料からなり、例えばアルミ蒸着シートを用いることができる。外装袋３０が天面パネル１１と左面パネル１３と背面パネル１４と右面パネル１５と底面パネル１６とを覆うことで、各パネルの水濡れや擦過傷等が予防され、商品寿命を延長することができる。また、左面パネル１３と右面パネル１５とが外装袋に取り付けられているため、各パネルと外装袋３０とを一体に管理することができ、パネルの紛失を容易に防ぐことができる。
【００２６】
図２に示すように、外装袋３０のうち背面パネル１４を覆う部分には、通気部３３が形成されている。
【００２７】
図３は、通気部３３の構造の一例を説明するための縦断面図である。
【００２８】
図３に示すように、外装袋３０のうち背面パネル１４を覆う部分は、背面パネル１４の上側部分を覆う第１外装シート３１と、背面パネル１４の下側部分を覆う第２外装シート３２と、を有している。
【００２９】
このうち第１外装シート３１の下端部は、第２外装シート３２の上端部に外側、すなわち容器本体１０とは逆側から重なるように延ばされており、第１外装シート３１の下端部の内面と第２外装シート３２の上端部の外面との間の横方向に延びる隙間が、通気部３３を形成するようになっている。
【００３０】
なお、図示を省略するが、第２外装シート３２の上端部が、第１外装シート３１の下端部の外側、すなわち容器本体１０とは逆側から重なるように延ばされており、第２外装シート３２の下端部の内面と第１外装シート３１の上端部の外面との間の横方向に延びる隙間が、通気部３３を形成するようになっていてもよい。
【００３１】
あるいは、図示を省略するが、外装袋３０のうち背面パネル１４を覆う部分は、背面パネル１４の右側部分を覆う右側外装シートと、背面パネル１４の左側部分を覆う左側外装シートと、を有しており、右側外装シートの左端部が、左側外装シートの右端部の外側、すなわち容器本体１０とは逆側から重なるように延ばされており、右側外装シートの左端部の内面と左側外装シートの右端部の外面との間の縦方向に延びる隙間が、通気部３３を形成するようになっていてもよいし、左側外装シートの右端部が、右側外装シートの左端部の外側、すなわち容器本体１０とは逆側から重なるように延ばされており、左側外装シートの右端部の内面と右側外装シートの左端部の外面との間の縦方向に延びる隙間が、通気部３３を形成するようになっていてもよい。
【００３２】
本実施の形態では、通気部３３として横方向に延びる隙間または縦方向に延びる隙間が１つだけ形成されているが、横方向に延びる隙間が複数設けられていてもよく、縦方向に延びる隙間が複数設けられていてもよく、あるいは横方向に延びる隙間と縦方向に延びる隙間とが組み合わされていてもよい。
【００３３】
通気部３３は、外装袋３０のうち背面パネル１４を覆う部分に斜め方向に形成するようになっていてもよい。特に図５に示すような本実施の形態のように、背面パネル１４が右面パネル１５に連結部を介して回動可能に連結されている場合には、外装袋３０のうち背面パネル１４を覆う部分において、連結部と反対側（図２で外装袋３０のうち背面パネル１４を覆う部分の左上）から連結部側（図２で外装袋３０のうち背面パネル１４を覆う部分の右下）に伸びる方向に形成することが好ましい。そのように形成することで、図６に示すように背面パネル１４を連結部を介して図６における時計回りに回動させる際には、連結部側（図２で外装袋３０のうち背面パネル１４を覆う部分の右下）から連結部と反対側（図２で外装袋３０のうち背面パネル１４を覆う部分の左上）に向かう方向に順次に通気部３３を通って空気を流通させることができ、さらには図６に示すように背面パネル１４を連結部を介して図６における反時計回りに回動させる際には、連結部と反対側（図２で外装袋３０のうち背面パネル１４を覆う部分の左上）から連結部側（図２で外装袋３０のうち背面パネル１４を覆う部分の右下）に向かう方向に順次に通気部３３を通って空気を流通させることができ、背面パネル１４をより容易に回動させることが可能となる。
【００３４】
なお、通気部３３の構造は、図３に示すような隙間構造に限定されず、例えば単純なメッシュ構造や逆止弁構造であってもよい。
【００３５】
本実施の形態では、外装袋３０の背面部分に通気部３３が設けられていることで、図６に示すように背面パネル１４を連結部を介して回動させる際に、背面パネル１４と外装袋３０との間の空間２５には通気部３３を通って空気が流通することができる。これにより、背面パネル１４と外装袋３０との間の空間２５の気圧変動に起因して、背面パネル１４に回動方向とは逆向きの反発力が生じることが抑制され、背面パネル１４を容易に回動させることが可能となる。
【００３６】
図１及び図３に示すように、本実施の形態では、背面パネル１４の内面および外面の両方に、保冷材または保温材１９を着脱可能に保持するための保持部１８ａ、１８ｂが設けられている。保持部１８ａ、１８ｂの具体的な構造は、特に限定されず、面ファスナ等の適宜の取付手段であってもよいし、保冷材または保温材１９を収納可能なポケットであってもよい。保持部１８ａ、１８ｂが背面パネル１４の両面に設けられているのは、次の理由による。すなわち、比較例として保冷材または保温材１９が背面パネル１４の内面に着脱不能に縫い付けてある態様を考えると、この態様では、容器本体１０に収納された荷物と保冷材または保温材１９とが接触することで保冷材または保温材１９が破損または紛失することがあり、また、保冷材または保温材１９の厚みだけ容器本体１０の内寸が狭くなることで積める荷物が減少することがある。そのため、背面パネル１４の内面に取り付けられる保冷材または保温材１９は、不要時に取り外して紛失しないように収納できることが好ましい。本実施の形態では、不要の保冷材または保温材１９を背面パネル１４の内面の保持部１８ａから取り外し、背面パネル１４の外面の保持部１８ｂに取り付けることで、背面パネル１４と外装袋３０との間に収納することが可能である。
【００３７】
次に、各パネル１１〜１６の構造について詳しく説明する。
【００３８】
図１０（ｂ）に示すように、各パネル１１〜１６は、いずれも、断熱性部材２０と、この断熱性部材２０を覆う断熱性の袋体２５と、を有する板状の袋付断熱性部材２０Ａから構成されている。断熱性部材２０は、真空断熱材２１を含むことが好ましい。袋体２５は、断熱性の柔軟な可撓性材料からなり、容易に折り曲げることができるものである。
【００３９】
図１０（ａ）は、断熱性部材２０を示す斜視図である。図１０（ａ）に示す例では、断熱性部材２０は、少なくとも真空断熱材２１と、真空断熱材２１を両面から挟持する一対の追加断熱材２２と、一方の追加断熱材２２上に積層された保護材２３と、を有している。
【００４０】
図１１（ａ）および図１１（ｂ）は、真空断熱材を示す断面図である。
【００４１】
図１１（ａ）および図１１（ｂ）に示すように、真空断熱材２１は、繊維状、発泡状または粒状体の素材のうちのいずれか一つを少なくとも含む芯材２１ａと、この芯材２１ａを覆うとともにガスバリア性を有する外被材２１ｂと、を有し、外被材２１ｂ内を減圧して真空状態とすることにより得られる断熱材である。この場合、図１１（ａ）に示すように、外被材２１ｂ内のうち芯材２１ａの両端に空間が形成されるが、図１１（ｂ）に示すように、外被材２１ｂのうち芯材２１ａの両端に空間を形成することなく、外被材２１ｂを密着させてもよい。
【００４２】
次に、袋付断熱性部材２０Ａの各部の構成材料について説明する。
【００４３】
まず、断熱性部材２０の材料について説明する。断熱性部材２０は、上述のように、真空断熱材２１と、一対の追加断熱材２２と、保護材２３と、を有している。
【００４４】
このうち、真空断熱材２１は、芯材２１ａと、芯材２１ａを覆うガスバリア性の外被材２１ｂと、を有している。
【００４５】
また、追加断熱材２２としては、一般的な発泡材料を用いることができる。具体的には、押し出し発泡ポリスチレン、ビーズ法ポリスチレン、ウレタンフォーム、高発泡ポリエチレン、フェノールフォーム等の発泡プラスチック系断熱材等を挙げることができる。
【００４６】
また、保護材２３は、以下のようなものである。すなわち、真空断熱材２１は外傷等で亀裂やしわ、貫通が生じやすく、単独で用いると特に物流過程で損傷しやすく、いったん外装が破壊されると真空度が低下して十分な断熱性を維持できないおそれがある。そこで、本実施の形態では、追加断熱材２２により真空断熱材２１の表裏を被覆するとともに、保護材２３により追加断熱材２２の容器外側を被覆することで真空断熱材２１を保護し、真空断熱材２１の繰り返しの使用ができるようになっている。
【００４７】
保護材２３としては、保護機能のある剛性を備えていれば特に限定されず、例えば合板、鋼板、発泡材、剛性樹脂板、エンボス樹脂シート、板紙等を用いても良いが、物流上、重量や体積が低減されることで輸送コストを軽減できることから、特に、いわゆる養生材やプラダン（プラスチックダンボール）、あるいはその複合材を用いることが、特にコスト、重量的に好ましい。
【００４８】
断熱性部材２０を形成する材料の熱伝導率としては、所望の断熱性を示すことができれば特に限定されないが、例えば、１００ｍＷ・ｍ-1・Ｋ-1以下、なかでも５０ｍＷ・ｍ-1・Ｋ-1以下、特に３５ｍＷ・ｍ-1・Ｋ-1以下であることが好ましい。断熱性部材２０の熱伝導率が大きいと、十分な断熱機能を発揮することが困難となるからである。
【００４９】
また、断熱性部材２０を構成する材料の比熱としては、所望の断熱性を示すことができれば特に限定されないが、例えば、０．５ｋＪ・ｇ-1・Ｋ-1〜２．０ｋＪ・ｇ-1・Ｋ-1程度であり、なかでも０．８ｋＪ・ｇ-1・Ｋ-1〜１．５ｋＪ・ｇ-1・Ｋ-1の範囲内、特に１．０ｋＪ・ｇ-1・Ｋ-1〜１．４ｋＪ・ｇ-1・Ｋ-1の範囲内であることが好ましい。
【００５０】
断熱性部材２０の厚さとしては、所望の断熱性を有することができれば特に限定されず、様々の用途に応じて適宜選択することができるが、物流に関しては体積を低減するこが物流コスト上、好ましく、例えば、０．１ｍｍ〜１００ｍｍの範囲内、なかでも１ｍｍ〜８０ｍｍの範囲内、特に３ｍｍ〜５０ｍｍの範囲内であることが好ましい。
【００５１】
断熱性部材２０の厚さが厚すぎる場合は、断熱性部材２０が重くなり、保冷保温容器１全体が重くなって、保冷保温容器１の取り扱いが困難となる可能性がある。一方、断熱性部材２０の厚さが薄すぎると十分な断熱性を発揮することが困難となる場合や、断熱性部材２０の真空断熱材２１が破損等し易くなる可能性がある。また、本実施の形態においては、上述した数値範囲内において、断熱性部材２０の厚さは薄いことがより好ましい。
【００５２】
本実施の形態による保冷保温容器１においては、保護材２３の厚みを薄くすれば、軽量化できるだけでなく、真空断熱材２１の断熱機能をより発揮することができ、保冷保温容器１の重量や寸法を抑制できる。また、断熱性部材２０全体としての厚さを薄くして、軽量化やコンパクト化を示すことができる。この場合、本実施の形態による保冷保温容器１０を軽量なものとすることができることで、組み立て作業、および分解作業における作業者の負担を低減することができる。
【００５３】
次に、袋体２５の材料について述べる。袋体２５は、断熱性をもつ柔軟な可撓性材料からなり、ＰＥＴ（ポリエチレンテレフタレート）・アルミ箔・ポリオレフィンフォーム等、あるいはＰＥＴ・アルミ箔・ポリオレフィンフィルム等で袋化したものを用いることができる。袋体２５として軟質の袋体を用いることで、収納された断熱性部材２０の擦過傷等を予防し、商品寿命を延長することができる。
【００５４】
本実施の形態では、図１に示すように、カゴ台車に対する保冷保温容器１の固定を強化
するために、外装袋２０の右面部分の外面及び左面部分の外面に、それぞれ、カゴ台車の柵と連結可能な連結部３９が設けられている。
【００５５】
図示された例では、各連結部３９は、カゴ台車の柵に引っ掛かることが可能なフックと、一端がフックに固定され、他端が外装袋に固定された紐状の弾性部材と、を有している。弾性部材が伸張された状態でカゴ台車の柵にフックが引っ掛けられることで、カゴ台車と保冷保温容器１とが一定の張力により固定され、輸送中に保冷保温容器１がカゴ台車から落下することを防止できる。
【００５６】
また、本実施の形態では、図９に示すように、保冷保温容器１の持ち運びを容易にするために、外装袋２０の右面部分の外面及び左面部分の外面に、それぞれ、取っ手３８が設けられている。
【００５７】
次に、以上のような構成からなる本実施の形態の作用について説明する。
【００５８】
まず、図９に示すように、折り畳まれた状態の保冷保温容器１が、例えばカゴ台車（不図示）内に搬入される。本実施の形態では、容器本体１０の各パネルが外装袋３０に覆われており、左面パネル１３と右面パネル１５とが外装袋に取り付けられているため、各パネルと外装袋３０とを一体に管理することが可能であり、１人または少数の作業者により容易に搬入することができる。
【００５９】
次に、カゴ台車内において、図８に示すように、折り畳まれた状態の保冷保温容器１から、正面パネル１２が外側に引き出される。
【００６０】
次に、図７に示すように、左面パネル１３と右面パネル１５とが互いに離れる向きに移動されることで、外装袋２０が広げられる。
【００６１】
次に、図５に示すように、天面パネル１１が連結部を介して回動されて外装袋３０の天面部分と対向されるとともに、底面パネル１６が連結部を介して回動されて外装袋３０の底面部分と対向される。その後、折り畳まれた状態の背面パネル１４の外面側の保持部１８ｂから保冷材または保温材１９が取り外される。
【００６２】
次に、図４に示すように、背面パネル１４が連結部を介して回動されて外装袋３０の背面部分と対向される。
【００６３】
ところで、比較例として、外装袋３０の背面部分に通気部３３が設けられていない態様を考える。この場合、図６に示すように背面パネル１４を連結部を介して図６における時計回りに回動させようとすると、背面パネル１４と外装袋３０との間の空間２５の気圧が高くなって、背面パネル１４に回動方向とは逆向きの反発力が生じる。容器本体１０の寸法精度が高いほど、および、容器本体１０の各辺の長さが大きいほど、この反発力は大きくなり、背面パネル１４を回動させることが困難となる。
【００６４】
一方、本実施の形態では、外装袋３０に通気部３３が設けられているため、図６に示すように背面パネル１４を連結部を介して図６における時計回りに回動させようとすると、背面パネル１４と外装袋３０との間の空間２５から通気部３３を通って空気が押し出される。そのため、背面パネル１４と外装袋３０との間の空間２５の気圧が高くなって背面パネル１４に回動方向とは逆向きの反発力が生じることはなく、背面パネル１４を容易に回動させることが可能である。
【００６５】
図１４は、天面パネル１１の内面を示す平面図である。図１６は、天面パネル１１の内
面に取り付け可能なポケット６０の第１面を示す平面図であり、図１７は、当該ポケット６０の第２面を示す平面図である。
【００６６】
図１４に示すように、天面パネル１１の内面には、略四角形状の第１面ファスナ６１ａが固定されている。また、第１面ファスナ６１ａの外側には、４つの布体６５が配置されている。各布体６５のうち第１面ファスナ６１ａとは逆側の端部は、天面パネル１１に縫い付けられている。一方、各布体６５のうち第１面ファスナ６１ａ側の端部の天面パネル１１側の面には、第２面ファスナ６２ａが固定されている。
【００６７】
図１６及び図１７に示すように、ポケット６０は、略四角形状を有している。図１７に示すように、ポケット６０の第２面には、第１面ファスナ６１ａと締結可能な略四角形状の第３面ファスナ６１ｂが固定されている。一方、図１６に示すように、ポケット６０の第１面の周縁部には、第２面ファスナ６２ａと締結可能な第４面ファスナ６２ｂが固定されている。また、ポケット６０の第１面のうち第４面ファスナ６２ｂの内側には、保冷材または保温材１９が固定されている。
【００６８】
本実施の形態では、図１５に示すように、ポケット６０の第２面が天面パネル１１の内面と対向して押し付けられることで、ポケット６０の第３面ファスナ６１ｂが天面パネル１１の第１面ファスナ６１ａと締結されるようになっている。さらに、天面パネル１１に縫い付けられた布体６５の第２面ファスナ６２ａがポケット６０の第１面の第４面ファスナ６２ｂに押し付けられて締結されるようになっている。
【００６９】
また、天面パネル１１に使用する保冷ポケット６０に保冷材または保温材１９を投入して輸送する場合、保冷ポケット６０と天面パネル１１との間の接着強度が不足すると保冷ポケット６０ごと保冷材１９が落下し、荷物を傷つける危険性がある。一方、本実施の形態では、天面パネル１１に使用する保冷ポケット６０は単純に天面パネル１１と面ファスナ６１ａ、６１ｂを介して固定されるだけでなく、天面パネル１１に直接縫い付けられた布体６５を用いて追加固定されるため、保冷材または保温材１９の落下を確実に防止することができる。
【００７０】
背面パネル１４が外装袋３０の背面部分と対向された後、背面パネル１４の内面側の保持部１８ａに保冷材または保温材１９が取り付けられる。
【００７１】
次に、図１に示すように、正面パネル１２が連結部を介して右面パネル１５に連結され、保冷保温容器１の片開き扉が構成される。
【００７２】
このようにして、カゴ台車内において、組み立てられた状態の保冷保温容器１が得られる。その後、各連結部３９のフックがカゴ台車の柵に引っ掛けられることで、カゴ台車と保冷保温容器１とが固定される。
【００７３】
次に、正面パネル１２が開かれた状態で、保冷保温容器１の内部に荷物が収納される。その後、正面パネル１２が閉じられ、荷物が収納された保冷保温容器１は、カゴ台車とともに輸送される。
【００７４】
次に、保冷保温容器１０を使用しない場合、カゴ台車内において、前述の工程が逆の順序で行われることにより、保冷保温容器１が折り畳まれる。
【００７５】
すなわち、図４に示すように、正面パネル１２が右面パネル１５から分離されるとともに、背面パネル１４の内面側の保持部１８ａから保冷材または保温材１９が取り外される。
【００７６】
次に、図５に示すように、背面パネル１４が連結部を介して回動されて右面パネル１５と対向される。
【００７７】
ところで、比較例として、外装袋３０の背面部分に通気部３３が設けられていない態様を考える。この場合、図６に示すように背面パネル１４を連結部を介して図６における反時計回りに回動させようとすると、背面パネル１４と外装袋３０との間の空間２５の気圧が低くなって、背面パネル１４に回動方向とは逆向きの反発力が生じる。容器本体１０の寸法精度が高いほど、および、容器本体１０の各辺の長さが大きいほど、この反発力は大きくなり、背面パネル１４を回動させることが困難となる。
【００７８】
一方、本実施の形態では、外装袋３０に通気部３３が設けられているため、図６に示すように背面パネル１４を連結部を介して図６における反時計回りに回動させようとすると、背面パネル１４と外装袋３０との間の空間２５には通気部３３を通って空気が吸引される。そのため、上述のような背面パネル１４と外装袋３０との間の空間２５の気圧が低くなって背面パネル１４に回動方向とは逆向きの反発力が生じることはなく、背面パネル１４を容易に回動させることが可能である。
【００７９】
また、本実施の形態では、外装袋３０の背面部分と対向するように押し広げられた背面パネル１４の内面側の保持部１８ｂから保冷材または保温材１９が予め取り外されることで、背面パネル１４の重量が軽くなり、背面パネル１４を一層容易に回動させることができる。
【００８０】
背面パネル１４が右面パネル１５と対向された後、背面パネル１４の外面側の保持部１８ａに保冷材または保温材１９が取り付けられる。
【００８１】
次に、図７に示すように、天面パネル１１と底面パネル１６とが、それぞれ、連結部を介して回動されて右面パネル１５上の背面パネル１４と対向される。
【００８２】
次に、図８に示すように、左面パネル１３と右面パネル１５とが互いに近づく向きに移動されることで、外装袋３０が折り畳まれる。
【００８３】
次に、図９に示すように、左面パネル１３と、天面パネル１１及び底面パネル１６と、の間に正面パネル１２が挿入されることで、カゴ台車内において、折り畳まれた状態の保冷保温容器１が得られる。保冷保温容器１が折り畳まれることで、作業者による保冷保温容器１の搬出作業が容易になるとともに、保冷保温容器１の不使用時に必要とされる保管スペースを縮小することができる。
【００８４】
以上のように、本実施の形態によれば、天面パネル１１と背面パネル１３と底面パネル１６とが、それぞれ、右面パネル１５に対して連結部を介して回動されて互いに重ねられることで、保冷保温容器１が全体的に折り畳まれてコンパクト化され得る。これにより、カゴ台車５０に対する保冷保温容器１の取り外し作業や組み付け作業が容易になるとともに、不使用時に必要とされる保冷保温容器１の保管スペースを縮小することができる。また、容器本体１０の各パネルが外装袋３０に覆われており、左面パネル１３と右面パネル１５とが外装袋３０に取り付けられてため、各パネルと外装袋３０とを一体に管理することができる。これにより、パネルの紛失を容易に防ぐことができる。さらに、外装袋３０のうち背面パネル１４を覆う部分に通気部３３が形成されているため、背面パネル１４が連結部を介して回動される際に背面パネル１４と外装袋３０との間に通気部を通って空気が流通され得る。これにより、背面パネル３０の内面側と外面側との間の差圧が低減され、背面パネル３０を容易に折り曲げることが可能となる。
【００８５】
また、本実施の形態によれば、第１外装シート３１の下端部と第２外装シート３２の上端部との間の隙間が、通気部３３を形成しているため、保冷保温容器１の外側から通気部３３に向かって降りかかる水や砂などの異物が、第１外装シート３１により遮蔽され、通気部３３を通って外装袋３０の内側に流入することが抑制される。これにより、容器本体１０の通気部３３の周囲が異物により汚損されることを防止できる。
【００８６】
なお、本実施の形態では、天面パネル１１と背面パネル１３と底面パネル１６とが、それぞれ、右面パネル１５に対して連結部を介して回動可能に連結されていたが、これに限定されず、天面パネル１１と背面パネル１３と底面パネル１６とが、左面パネル１３に対して連結部を介して回動可能に連結されていてもよい。あるいは、天面パネル１１と背面パネル１３と底面パネル１６のうち、いずれか１つのパネルが右面パネル１５に対して連結部を介して回動可能に連結され、残りの２つのパネルが右面パネル１３に対して連結部を介して回動可能に連結されていてもよいし、天面パネル１１と背面パネル１３と底面パネル１６のうち、いずれか２つのパネルが右面パネル１５に対して連結部を介して回動可能に連結され、残りの１つのパネルが左パネル１３に対して連結部を介して回動可能に連結されていてもよい。
【００８７】
また、本実施の形態では、正面パネル１２が右面パネル１５に対して連結部を介して回動可能に連結されていたが、これに限定されず、正面パネル１２が左面パネル１３に対して連結部を介して回動可能に連結されていてもよい。
【符号の説明】
【００８８】
１０    保冷保温容器
１１    天面パネル
１２    正面パネル
１３    左面パネル
１４    背面パネル
１５    右面パネル
１６    底面パネル
１８ａ、１８ｂ  保持部
１９    保冷材または保温材
２０    断熱性パネル
２１    真空断熱材
２１ａ  芯材
２１ｂ  外被材
２２    追加断熱材
２３    保護材
２５    袋体
３０    外装袋
３１    第１外装シート
３２    第２外装シート
３３    通気部
３８    取っ手
３９    連結部
５０    カゴ台車
【図１】
2019073342.tif 000003
【図２】
2019073342.tif 000004
【図３】
2019073342.tif 000005
【図４】
2019073342.tif 000006
【図５】
2019073342.tif 000007
【図６】
2019073342.tif 000008
【図７】
2019073342.tif 000009
【図８】
2019073342.tif 000010
【図９】
2019073342.tif 000011
【図１０】
2019073342.tif 000012
【図１１】
2019073342.tif 000013
【図１２】
2019073342.tif 000014
【図１３】
2019073342.tif 000015
【図１４】
2019073342.tif 000016
【図１５】
2019073342.tif 000017
【図１６】
2019073342.tif 000018
【図１７】
2019073342.tif 000019
【手続補正書】
【提出日】平成31年3月6日(2019.3.6)
【手続補正１】
【補正対象書類名】特許請求の範囲
【補正対象項目名】全文
【補正方法】変更
【補正の内容】
【特許請求の範囲】
【請求項１】
天面パネルと、正面パネルと、左面パネルと、背面パネルと、右面パネルと、底面パネルと、を有する容器本体と、
前記容器本体のうち前記天面パネルと前記左面パネルと前記背面パネルと前記右面パネルと前記底面パネルとを覆うように配置された外装袋と、
を備え、
前記外装袋のうち前記背面パネルを覆う部分は、前記背面パネルの上側部分を覆う第１外装シートと、前記背面パネルの下側部分を覆う第２外装シートと、を有し、
前記第１外装シートの下端部は、前記第２外装シートの上端部に重なるように配置され、
前記第１外装シートの下端部の外面と前記第２外装シートの上端部の内面との間、または、前記第１外装シートの下端部の内面と前記第２外装シートの上端部の外面との間、の隙間が、通気部を形成しており、
前記天面パネルと前記背面パネルと前記底面パネルとは、それぞれ、前記左面パネルまたは前記右面パネルに連結部を介して回動可能に連結される、保冷保温容器。
【請求項２】
天面パネルと、正面パネルと、左面パネルと、背面パネルと、右面パネルと、底面パネルと、を有する容器本体と、
前記容器本体のうち前記天面パネルと前記左面パネルと前記背面パネルと前記右面パネルと前記底面パネルとを覆うように配置された外装袋と、
を備え、
前記外装袋のうち前記背面パネルを覆う部分は、前記背面パネルの右側部分を覆う右側外装シートと、前記背面パネルの左側部分を覆う左側外装シートと、を有し、
前記右側外装シートの左端部は、前記左側外装シートの右端部に重なるように配置され、
前記右側外装シートの左端部の外面と前記左側シートの右端部の内面との間、または、前記右側外装シートの左端部の内面と前記右側外装シートの左端部の外面との間、の隙間が、通気部を形成しており、
前記天面パネルと前記背面パネルと前記底面パネルとは、それぞれ、前記左面パネルまたは前記右面パネルに連結部を介して回動可能に連結される、保冷保温容器。
【請求項３】
前記通気部は、前記外装袋のうち前記背面パネルを覆う部分に斜め方向に形成するようになっている、請求項１または２に記載の保冷保温容器。
【請求項４】
前記背面パネルの内面および外面の両方に、保冷材または保温材を着脱可能に保持するための保持部が設けられている、請求項１から３のいずれか一項に記載の保冷保温容器。
【請求項５】
前記天面パネルに縫い付けられた布体が有する第１面ファスナが保冷材を収納するポケットが有する第２面ファスナに押し付けられて、前記保冷材を収納するポケットが前記天面パネル締結されるものである、請求項１から４のいずれか一項に記載の保冷保温容器。
【請求項６】
請求項１から５のいずれか一項に記載の複数の保冷保温容器を折り畳む工程と、
折り畳まれた前記複数の保冷保温容器をカゴ台車内に収容する工程と、
を備えたことを特徴とする保冷保温容器の保管方法。
【手続補正３】
【補正対象書類名】明細書
【補正対象項目名】００３０
【補正方法】変更
【補正の内容】
【００３０】
なお、図示を省略するが、第２外装シート３２の上端部が、第１外装シート３１の下端部の外側、すなわち容器本体１０とは逆側から重なるように延ばされており、第２外装シート３２の上端部の内面と第１外装シート３１の下端部の外面との間の横方向に延びる隙間が、通気部３３を形成するようになっていてもよい。